【事件の表示】
　特願２０１６−　８１５６９号「遊技台」拒絶査定不服審判事件〔平成２８年　７月１４日出願公開、特開２０１６−１２８１２５号〕について、次のとおり審決する。
【結　論】
　本件審判の請求は、成り立たない。
【理　由】
第１　手続きの経緯
　本願は、平成２５年３月３１日に出願した特願２０１３−７５５５３号の一部を平成２８年４月１４日に新たな特許出願（特願２０１６−８１５６９号）としたものであって、平成２９年２月７日付けで拒絶の理由が通知され、平成２９年４月１７日に意見書及び手続補正書が提出されたところ、平成２９年８月８日付け（発送日：平成２９年８月２２日）で拒絶査定がなされ、それに対して、平成２９年１０月２０日に拒絶査定不服審判の請求がなされると同時に手続補正がなされたものである。
第２　平成２９年１０月２０日付けの手続補正についての補正却下の決定
［補正却下の決定の結論］
　平成２９年１０月２０日付けの手続補正（以下、「本件補正」という。）を却下する。
［理由］
１　補正の内容
　本件補正は、特許請求の範囲の補正を含んでおり、本件補正により、特許請求の範囲の請求項１について本件補正前に、
（平成２９年４月１７日付け手続補正）
「【請求項１】
　表示手段を備えた遊技台であって、
　前記表示手段は、保留数に対応する数の保留アイコンの表示を表示可能な手段であり、
　複数種類の演出モードに応じた演出を実行可能であり、
　前記複数種類の演出モードのうちの一の演出モードは、第一の演出モードであり、
　前記複数種類の演出モードのうちの一の演出モードは、第二の演出モードであり、
　複数種類の先読み予告を実行可能であり、
　前記複数種類の先読み予告のうちの一の先読み予告は、第一の先読み予告であり、
　前記複数種類の先読み予告のうちの一の先読み予告は、第三の先読み予告であり、
　前記第三の先読み予告は、前記第一の先読み予告とは異なる先読み予告であり、
　前記第三の先読み予告とは、保留アイコンを先読み予告態様で表示することによって行われる先読み予告のことであり、
　前記第一の演出モードにおいて、前記第一の先読み予告が開始される場合がなく、
　前記第二の演出モードにおいて、前記第一の先読み予告が開始される場合があり、
　前記表示手段は、保留数が増加した場合に、保留アイコンが出現するアニメ（以下、「保留増加アニメ」という。）の表示を表示可能な手段であり、
　装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があり、
　入賞時先読み予告としても、前記第三の先読み予告が開始される場合（以下、「第二の場合」という。）がある、
ことを特徴とする遊技台。」
とあったものを、
（本件補正）
「【請求項１】
　表示手段を備えた遊技台であって、
　前記表示手段は、保留数に対応する数の保留アイコンの表示を表示可能な手段であり、
　複数種類の演出モードに応じた演出を実行可能であり、
　前記複数種類の演出モードのうちの一の演出モードは、第一の演出モードであり、
　前記複数種類の演出モードのうちの一の演出モードは、第二の演出モードであり、
　複数種類の先読み予告を実行可能であり、
　前記複数種類の先読み予告のうちの一の先読み予告は、第一の先読み予告であり、
　前記複数種類の先読み予告のうちの一の先読み予告は、第三の先読み予告であり、
　前記第三の先読み予告は、前記第一の先読み予告とは異なる先読み予告であり、
　前記第三の先読み予告とは、保留アイコンを先読み予告態様で表示することによって行われる先読み予告のことであり、
　前記第一の演出モードにおいて、前記第一の先読み予告が開始される場合がなく、
　前記第二の演出モードにおいて、前記第一の先読み予告が開始される場合があり、
　前記表示手段は、保留数が増加した場合に、保留アイコンが出現するアニメ（以下、「保留増加アニメ」という。）の表示を表示可能な手段であり、
　装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があり、
　入賞時先読み予告としても、前記第三の先読み予告が開始される場合（以下、「第二の場合」という。）があ
り、
　保留アイコンは、変動アイコンとして表示される場合があるアイコンであり、
　変動アイコンは、装飾図柄の変動表示に対応して表示されるアイコンであり、
　保留数が１以上且つ装飾図柄の変動表示が表示されている状態において、変動アイコンと保留アイコンの両方が表示されている状態から該変動アイコンのみが表示されている状態になる場合がある、
ことを特徴とする遊技台。」
と補正するものである（下線部は補正箇所を示す。）。
２　補正の適否
　本件補正のうち特許請求の範囲の請求項１についてする補正は、補正前の請求項１に係る発明を特定するために必要な事項である「保留アイコン」に関して、「保留アイコンは、変動アイコンとして表示される場合があるアイコンであり、変動アイコンは、装飾図柄の変動表示に対応して表示されるアイコンであり、保留数が１以上且つ装飾図柄の変動表示が表示されている状態において、変動アイコンと保留アイコンの両方が表示されている状態から該変動アイコンのみが表示されている状態になる場合がある」ことを限定するものである。
　そして、本件補正後の請求項１に係る発明は、本件補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【０５０４】〜【０５０７】、特許請求の範囲又は図面の図４２等の記載からみて、新規事項を追加するものではない。
３　独立特許要件
　そこで、本件補正後の請求項１に係る発明（以下「本願補正発明」という。）が特許出願の際に独立して特許を受けることができるものであるか、すなわち、特許法第１７条の２第６項において準用する同法第１２６条第７項の規定に適合するかについて、以下に検討する。
（１）本願補正発明
　本願補正発明は、次のとおりのものであると認める（記号Ａ〜Ｌは、分説するため当審で付した。）。
「Ａ　表示手段を備えた遊技台であって、
Ｂ　前記表示手段は、保留数に対応する数の保留アイコンの表示を表示可能な手段であり、
Ｃ　複数種類の演出モードに応じた演出を実行可能であり、
　前記複数種類の演出モードのうちの一の演出モードは、第一の演出モードであり、
　前記複数種類の演出モードのうちの一の演出モードは、第二の演出モードであり、
Ｄ　複数種類の先読み予告を実行可能であり、
　前記複数種類の先読み予告のうちの一の先読み予告は、第一の先読み予告であり、
　前記複数種類の先読み予告のうちの一の先読み予告は、第三の先読み予告であり、
Ｅ　前記第三の先読み予告は、前記第一の先読み予告とは異なる先読み予告であり、
Ｆ　前記第三の先読み予告とは、保留アイコンを先読み予告態様で表示することによって行われる先読み予告のことであり、
Ｇ　前記第一の演出モードにおいて、前記第一の先読み予告が開始される場合がなく、
　前記第二の演出モードにおいて、前記第一の先読み予告が開始される場合があり、
Ｈ　前記表示手段は、保留数が増加した場合に、保留アイコンが出現するアニメ（以下、「保留増加アニメ」という。）の表示を表示可能な手段であり、
Ｉ　装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があり、
Ｊ　入賞時先読み予告としても、前記第三の先読み予告が開始される場合（以下、「第二の場合」という。）があり、
Ｋ　保留アイコンは、変動アイコンとして表示される場合があるアイコンであり、
　変動アイコンは、装飾図柄の変動表示に対応して表示されるアイコンであり、
　保留数が１以上且つ装飾図柄の変動表示が表示されている状態において、変動アイコンと保留アイコンの両方が表示されている状態から該変動アイコンのみが表示されている状態になる場合がある、
Ｌ　ことを特徴とする遊技台。」
（２）引用文献に記載された事項
ア　原査定の拒絶の理由に引用された、本願遡及日前に頒布された刊行物である特開２０１３−４２７８１号公報（以下「引用文献１」という。）には、図面とともに以下の事項が記載されている（下線は当審で付した。）。
・記載事項
（ア）「【０００１】
　本発明は、始動条件の成立にもとづいて、各々を識別可能な複数種類の識別情報の可変表示を行う可変表示手段を備え、可変表示手段に表示結果を導出することで遊技の結果を確定し、遊技の結果が特定遊技結果となったときに遊技者にとって有利な特定遊技状態に移行させる
パチンコ機
遊技機
（イ）「【０００８】
　しかし、上記特許文献１に記載された遊技機では、先読み予告の対象の変動までの複数回の変動において、リーチ状態となるはずれ変動とリーチ状態とならないはずれ変動（非リーチ状態となるはずれ変動）となる場合があるが、先読み予告の対象の変動までの複数回の変動において、先読み予告の対象の変動で実行されるリーチ演出よりも期待度の高いリーチ演出が実行された場合には、遊技者は興ざめしてしまう。
【０００９】
　そこで、本発明は、先読み予告を行う遊技機において、先読み予告の対象となる可変表示よりも前の可変表示においても適切に期待感を持続させ、遊技の興趣を向上させることができる遊技機を提供することを目的とする。」
（ウ）「【００２１】
　
パチンコ遊技機１
【００２２】
　ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００２３】
　遊技領域７の中央付近には、液晶表示装置（ＬＣＤ）で構成された
演出表示装置９が設けられている
（エ）「【００４４】
　また、
演出表示装置９の表示画面の下部には、第１保留記憶数と第２保留記憶数との合計である合計数（合算保留記憶数）を表示する合算保留記憶表示部１８ｃが設けられている。
（オ）「【０２０１】
  なお、「先読み予告演出」とは、予告演出の対象となる変動表示が開始されるよりも前に実行される予告演出のことである。この実施の形態では、
先読み予告演出には、予告対象となる変動表示に対する始動入賞が発生したタイミングで直ちに実行されるもの（後述する「保留球変化」の態様の先読み予告演出）と、予告対象となる変動表示に対する始動入賞が発生した後に開始される変動表示から演出を開始し、その予告演出の対象となる変動表示が開始されるよりも前の複数回の変動表示にわたって連続して実行されるもの（後述する「可動物予告」
の態様の先読み予告演出）とがある。
（カ）「【０３５２】
　また、
ターゲットの変動（およびターゲットの変動よりも前の変動）の変動カテゴリが９〜１２であるとき、すなわち、始動入賞時に高確率／高ベース状態のときの変動パターン種別であるときは、変動時間が短縮された短縮変動となる頻度が高くなり、短縮変動において先読み予告（可動物予告等）を実行することが困難である。
ターゲットの変動（およびターゲットの変動よりも前の変動）の変動カテゴリが９〜１２であるときは、先読み予告の実行を制限する。
（キ）「【０３６４】
　受信した演出制御コマンドが通常状態背景指定コマンドであれば（ステップＳ６６６）、演出制御用ＣＰＵ１０１は、
演出表示装置９に表示する背景画面を通常状態に応じた背景画面（例えば、青色の表示色の背景画面）に変更する
【０３６５】
　また、受信した演出制御コマンドが高確率／高ベース状態背景指定コマンドであれば（ステップＳ６６９）、演出制御用ＣＰＵ１０１は、
演出表示装置９に表示する背景画面を高確率／高ベース状態に応じた背景画面（例えば、赤色の表示色の背景画面）に変更する
（ク）「【０３９３】
  図４３は、先読み予告演出の振り分けを示す先読み予告振分テーブルの具体例を示す説明図である。現在の
遊技状態が通常状態あれば、演出制御用ＣＰＵ１０１は、ステップＳ６００８で選択した図４３（Ａ）に示す通常状態時の先読み予告振分テーブルＡを用いて、受信した変動カテゴリコマンドで示される変動パターン種別の入賞時判定結果にもとづいて、先読み予告演出の実行有無と演出態様を決定する。
「可動物予告」
のいずれかの演出態様の先読み予告演出を実行することに決定する。
（ケ）「【０４１１】
　この実施の形態では、通常時（先読み予告演出の実行を行っていないとき）には、第１始動入賞口１３への始動入賞が発生した場合には、保留表示として赤色の丸形表示（以下、第１通常表示ともいう）を１つ増加させ、第２始動入賞口１４への始動入賞が発生した場合には、保留表示として青色の丸形表示（以下、第２通常表示ともいう）を１つ増加させる。そして、
始動入賞が発生したときに「保留球変化」の演出態様の先読み予告演出を開始するときには、通常時とは異なる特殊態様で保留表示を１つ増加させる。この実施の形態では、特殊態様として星形表示を１つ増加させるものとする。また、第１始動入賞口１３への始動入賞が発生したときに先読み予告演出を開始する場合であれば、赤色の星形表示（第１特殊表示ともいう）を１つ増加させ
（コ）「【０５３０】
　次に、図６２を参照して「保留球変化」の先読み予告演出の演出態様の具体例を説明する。図６２に示す例では、まず、図６２（１）に示すように第１特別図柄の変動表示に同期して演出図柄の変動表示を実行しているときに、図６２（２）に示すように第１始動入賞口１３に始動入賞があったものとする。この場合、遊技制御用マイクロコンピュータ５６０は、新たに始動入賞があったことにもとづいて入賞時演出処理を実行する（ステップＳ１２１７参照）。そして、入賞時判定結果に応じた入賞時判定結果指定コマンド（図柄指定コマンド。変動カテゴリコマンド）を演出制御用マイクロコンピュータ１００に送信する（ステップＳ１２１８，Ｓ１２１９参照）。また、同じ割り込み内で、遊技制御用マイクロコンピュータ５６０は、保留記憶情報としての第１始動入賞指定コマンドおよび合算保留記憶数指定コマンドを送信する（ステップＳ１２２０，Ｓ１２２１参照）。この場合、演出制御用マイクロコンピュータ１００は、入賞時判定結果指定コマンドを受信したことにもとづいて、先読み予告演出の実行を決定するとともに先読み予告演出の演出態様として「保留球変化」を決定したものとする（ステップＳ８００Ａ参照）。そして、先読み予告演出の演出態様として「保留球変化」を決定したことにより、演出制御用マイクロコンピュータ１００は、図６２（２）に示すように、受信した第１始動入賞指定コマンドおよび合算保留記憶数指定コマンにもとづいて、
合算保留記憶表示部１８ｃにおいて第１特殊表示（赤色の星形表示）を１増し（ステップＳ６０１７参照）、始動入賞が発生し始動入賞時のコマンドを受信したタイミングで直ちに先読み予告演出を開始する。
【０５３１】
　次いで、演出制御用マイクロコンピュータ１００は、変動パターンコマンドや表示結果指定コマンド、合算保留記憶数減算指定コマンドを受信して、図６２（４）に示すように、
合算保留記憶表示部１８ｃにおける保留表示を１減らし（ステップＳ６６２Ａ参照）、次の演出図柄の変動表示を開始する。
・認定事項
（サ）上記記載事項（ア）の【０００１】、（ウ）の【００２１】〜【００２３】の記載から、引用文献１には、「演出表示装置９が設けられたパチンコ遊技機１」が記載されていると認められる。
（シ）上記記載事項（ケ）の【０４１１】、（コ）の【０５３０】、【０５３１】の記載から、「合算保留記憶表示部１８ｃは、保留表示を表示するものであること」が記載されていると認められる。
　また、図６２から、「保留表示」はアイコンとして表示されるものであることが見て取れる。
（ス）上記記載事項（キ）の【０３６４】、【０３６５】の記載から、引用文献１には、「遊技状態が高確率／高ベース状態であるときには、前記背景画像を高確率／高ベース状態に応じた背景画面にし、遊技状態が通常状態であるときには、演出表示装置９に表示する背景画面を通常状態に応じた背景画面にすること」が記載されていると認められる。
（セ）上記記載事項（オ）の【０２０１】、（ケ）の【０４１１】の記載から、引用文献１には、「可動物予告の態様の先読み予告演出と、通常時とは異なる特殊態様で保留表示を増加させる保留球変化の態様の先読み予告演出とが実行可能であること」が記載されていると認められる。
（ソ）上記記載事項（カ）の【０３５２】の記載から、引用文献１には、「遊技状態が高確率／高ベース状態であるときには、可動物予告の態様の先読み予告演出の実行を制限すること」が記載されていると認められる。
　また、上記記載事項（ク）の【０３９３】の記載から、引用文献１には、「遊技状態が通常状態であるときには、可動物予告の態様の先読み予告演出が実行されることがあること」が記載されていると認められる。
（タ）上記記載事項（エ）の【００４４】、（ケ）の【０４１１】、（コ）の【０５３０】の記載から、引用文献１には、「演出表示装置９の合算記憶表示部１８ｃは、始動入賞が発生したときに、保留表示を１つ増加させる表示を行うことが可能であること」が記載されていると認められる。
（チ）上記記載事項（ケ）の【０４１１】、（コ）の【０５３０】の記載から、引用文献１には、「保留球変化の態様の先読み予告演出は、始動入賞が発生したタイミングで直ちに実行されるものである」ことが記載されていると認められる。
（ツ）　上記記載事項（ア）〜（コ）、及び、上記認定事項（サ）〜（チ）を総合すると、引用文献１には、次の発明（以下、「引用発明」という。）が記載されていると認められる（記号ａ〜ｈ、ｊ、ｌは、本願補正発明の記号Ａ〜Ｈ、Ｊ、Ｉに対応させて付した。）。
「ａ　演出表示装置９が設けられたパチンコ遊技機１であって、
ｂ　演出表示装置９の表示画面の下部には、第１保留記憶数と第２保留記憶数との合計である合計数（合算保留記憶数）を表示する合算保留記憶表示部１８ｃであって、アイコンとして表示される保留表示を表示する合算保留記憶表示部１８ｃが設けられ、
ｃ　遊技状態が高確率／高ベース状態であるときには、前記背景画像を高確率／高ベース状態に応じた背景画面にし、遊技状態が通常状態であるときには、演出表示装置９に表示する背景画面を通常状態に応じた背景画面にするものであり、
ｄ〜ｆ　可動物予告の態様の先読み予告演出と、通常時とは異なる特殊態様で保留表示を増加させる保留球変化の態様の先読み予告演出とが実行可能であり、
ｇ　遊技状態が高確率／高ベース状態であるときには、可動物予告の態様の先読み予告演出の実行を制限し、
　遊技状態が通常状態であるときには、可動物予告の態様の先読み予告演出が実行されることがあり、
ｈ　前記演出表示装置９の合算記憶表示部１８ｃは、始動入賞が発生したときに、保留表示を１つ増加させる表示を行うことが可能であり、
ｊ　保留球変化の態様の先読み予告演出は、始動入賞が発生したタイミングで直ちに実行されるものである、
ｋ　パチンコ遊技機。」
イ　原査定の拒絶の理由に引用された、本願遡及日前に頒布された刊行物である特開２０１３−３４７１０号公報（以下「引用文献２」という。）には、図面とともに以下の事項が記載されている（下線は当審で付した。）。
・記載事項
（ア）「【０００５】
　本発明の目的は、保留画像を多彩な表示態様で表示することにより遊技者の注目を集め、興趣を向上させる遊技台を提供することにある。」
（イ）「【０００９】
［第１の実施の形態］
……
【０１８５】
　ステップＳ１００９では、先読み結果画像設定処理を行う。この先読み結果画像設定処理では、主制御部３００から受信した先読み結果情報コマンドに基づき、後述する先読み報知態様抽選テーブルを参照した乱数抽選により、装飾図柄表示装置２０８に表示する保留画像の表示態様を決定する。ここで、保留が増加した場合、基本的には先読みを行った上で保留画像（例えば、デフォルトの表示態様）を選択するが、先に先読みの実行可否を決定し、
先読み非実行の場合にデフォルトの表示態様を選択するようにしてもよい
（ウ）「【０２５８】
　次に、本実施の形態によるパチンコ機１００での特図変動遊技の具体的実施例について図２２〜図２４を用いて説明する。図２２〜図２４は、本実施の形態の特図変動遊技における装飾図柄表示装置２０８、特図１表示装置２１２および特図２表示装置２１４の表示状態と、特図１保留ランプ２１８および特図２保留ランプ２２０の点灯状態とを時系列で示している。ここで、図２２〜図２４および後述する各図では、装飾図柄表示装置２０８の図柄表示領域２０８ａ〜２０８ｃにおける
装飾図柄の変動を下向きの白抜き太矢印で表している。
（エ）「【０２６０】
　また、図２２〜図２４および後述する各図において、
装飾図柄表示装置２０８の演出表示領域２０８ｄのうち下方の横長の領域は、特図１および特図２の保留数を表示する保留表示領域９１０として用いられる
【０２６１】
　保留表示領域９１０では、保留に対応する保留画像が個別に表示されるようになっている。すなわち、保留表示領域９１０に表示される保留画像の数で保留数が表される。本例では、
保留画像として
プレートの絵柄に合致した画像（以下、「プレート画像」という）が用いられる。
（オ）「【０２６９】
　この状態で特図１の保留が１つから２つに増加すると、特図１の保留増加表示が実行される。特図１の保留が増加すると、当該保留の先読み結果および乱数抽選の結果に基づいて、保留画像の表示態様が決定される。また、本例では保留表示領域９１０の第２領域（特図１の最下位の保留に対応するプレート画像８０１ａの右隣の領域。特図２のプレート画像８０２ｃが表示されている領域）が保留増加表示対象領域として特定される。図２３（ｂ）〜（ｄ）に示すように、
保留増加表示対象領域として特定された第２領域には、爆発を表すエフェクトとともに特図１の２つ目の保留を表すプレート画像８０１ｂが出現する保留増加アニメーションが表示される。
（カ）「【０２８１】
［第２の実施の形態］
……
【０２８９】
　図２５（ｂ）に示す状態の後（例えば、直後）に、
特図２始動口への入賞が検出されて特図２の保留が１つ増加すると、図２５（ｃ）に示すように、特図２保留ランプ２２０では特図２の保留が２つから３つに増加したことが即時に表示されるとともに、保留表示領域９１０では保留増加アニメーションの表示が開始される
（キ）「【０３２３】
［第３の実施の形態］
  次に、本発明の第３の実施の形態に係る遊技台について説明する。本実施の形態によるパチンコ機１００の構成等については、第１の実施の形態によるパチンコ機１００と同様であるため説明を省略する。本実施の形態は、
保留画像の表示態様を所定の契機で変更する点で第１および第２の実施の形態と異なる
（ク）「【０３２７】
　図３３は、本実施の形態で用いられる先読み報知態様抽選テーブルの一部（大当りのみ）を示している。第１副制御部４００は、主制御部３００から取得した先読み結果が大当りである場合、抽選用乱数値（乱数範囲は０−９９）の値が０−２６であれば、保留画像の初期表示態様をデフォルト（特図１であれば青、特図２であれば黄）に設定し、最終表示態様を同様にデフォルトに設定し、表示変更契機を保留減少に設定する。
抽選用乱数値の値が２７−４６であれば、保留画像の初期表示態様をデフォルトに設定し、最終表示態様を緑に設定し、表示変更契機を保留減少に設定する。抽選用乱数値の値が４７−６１であれば、保留画像の初期表示態様をデフォルトに設定し、最終表示態様を緑（文字あり）に設定し、表示変更契機を保留減少に設定する。抽選用乱数値の値が６２−７１であれば、保留画像の初期表示態様をデフォルトに設定し、最終表示態様を赤に設定し、表示変更契機を保留減少に設定する。抽選用乱数値の値が７２−７６であれば、保留画像の初期表示態様をデフォルトに設定し、最終表示態様を赤（文字あり）に設定し、表示変更契機を保留減少に設定する。抽選用乱数値の値が７７であれば、保留画像の初期表示態様をデフォルトに設定し、最終表示態様を金に設定し、表示変更契機を保留減少に設定する。
【０３２８】
　
抽選用乱数値の値が７８−８２であれば、保留画像の初期表示態様を緑に設定し、
抽選用乱数値の値が８３−８７であれば、保留画像の初期表示態様を緑に設定し、
抽選用乱数値の値が８８−９０であれば、保留画像の初期表示態様を緑に設定し、
抽選用乱数値の値が９１−９２であれば、保留画像の初期表示態様を緑に設定し、
抽選用乱数値の値が９３であれば、保留画像の初期表示態様を緑に設定し、
・認定事項
（ケ）第１の実施の形態に関する記載箇所である上記記載事項（エ）の【０２６０】、【０２６１】、（オ）の【０２６９】の記載から、引用文献２には、「保留が増加すると、保留を表す保留画像が出現する保留増加アニメーションの表示を行う装飾図柄表示装置」が記載されていると認められる。
　また、上記記載事項（ウ）の【０２５８】の記載、図２２（ｂ）の記載から、上記保留増加アニメーションの表示は、装飾図柄の変動中に行われるものであると認められる。
（コ）第２の実施の形態に関する記載箇所である上記記載事項（カ）の【０２８９】や図２６の記載から、引用文献２には、「始動口への入賞が検出されたときに、保留画像の表示を行うこと」が記載されていると認められる。
（サ）第３の実施の形態に関する記載箇所である上記記載事項（ク）の【０３２７】の記載から、「抽出用乱数値の値が「２７−４６」、「４７−６１」、「６２−７１」、「７２−７６」、「７７」のときは、保留減少を表示変更契機として、デフォルトの初期表示態様の保留画像を、「緑」、「緑（文字あり）」、「赤」、「赤（文字あり）」または「金」の最終表示態様の保留画像に変更すること」が記載されていると認められる。
　また、上記記載事項（ク）の【０３２８】の記載から、「抽出用乱数値の値が「７８−８２」、「８３−８７」、「８８−９０」、「９１−９２」、「９３」のときは、「緑」または「赤」の初期表示態様の保留画像の表示を行うこと」が記載されていると認められる。
　ここで、上記記載事項（キ）の【０３２３】の「保留画像の表示態様を所定の契機で変更する点で第１および第２の実施の形態と異なる。」との記載から、第３の実施の形態において、初期表示態様の保留画像の出現のさせ方は、第１、２の実施の形態と同様であり、認定事項（ケ）、（コ）に記載したように、装飾図柄の変動中に保留増加アニメーションを通して行われ、また、始動口への入賞が検出されたときに行われるものと認められる。
（シ）上記記載事項（ア）〜（ク）、認定事項（ケ）〜（サ）を総合すると、引用文献２には、
「装飾図柄表示装置は、保留が増加すると、保留を表す保留画像が出現する保留増加アニメーションの表示を行う手段であり、
　抽出用乱数値の値が「２７−４６」、「４７−６１」、「６２−７１」、「７２−７６」、「７７」のときは、装飾図柄の変動中に保留増加アニメーションの表示が行われ、保留減少を表示変更契機として、該保留増加アニメーションによって出現したデフォルトの初期表示態様の保留画像を、「緑」、「緑（文字あり）」、「赤」、「赤（文字あり）」または「金」の最終表示態様の保留画像に変更し、
　抽出用乱数値の値が「７８−８２」、「８３−８７」、「８８−９０」、「９１−９２」、「９３」のときは、始動口への入賞が検出されたときに、「緑」または「赤」の初期表示態様の保留画像の表示を行うこと」
との技術事項（以下、「引用文献２記載の事項」という。）が記載されていると認められる。
ウ　本願遡及日前に頒布された刊行物である特開２０１１−１２０７９３号公報（以下「引用文献３」という。）には、図面とともに以下の事項が記載されている（下線は当審で付した。）。
・記載事項
（ア）「【０００８】
　特許文献１に記載された遊技機では、再可変表示の回数が多くなるに従って特定遊技状態となる可能性が高くなるので、再可変表示が何回実行されるかに対して遊技者の関心を高めさせることができるが、特許文献１に記載された遊技機では、各再可変表示が終わるタイミングにおいて何ら特徴的な演出等を行っておらず、再可変表示による演出を行う場合の遊技に対する興趣を十分に高めることはできない。
【０００９】
　そこで、本発明は、再可変表示による演出を行う遊技機において、再可変表示が継続するか否かに対して遊技者の関心を高めさせることができ、遊技に対する興趣を向上させることができるようにすることを目的とする。」
（イ）「【０５００】
　図６２は、演出表示装置９における第１保留記憶表示部１８ｃおよび第２保留記憶表示部１８ｄを遮蔽する態様の具体例を示す説明図である。この実施の形態では、図６２に示すように、
演出図柄の変動開始時や後述するように擬似連における再変動の開始時に、可動部材７８が可動されて、演出表示装置９における第１保留記憶表示部１８ｃおよび第２保留記憶表示部１８ｄの前面側を可動部材７８が覆うような態様で、第１保留記憶表示部１８ｃおよび第２保留記憶表示部１８ｄが遮蔽される。そのようにすることによって、演出図柄の変動開始時や擬似連における再変動開始時において第１保留記憶数および第２保留記憶数を認識しにくくすることによって、擬似連であるのか否かを分かりにくくしている。すなわち、再変動が開始されても保留記憶数が減少しないことが認識されてしまうと擬似連であることが遊技者に分かってしまうが、この実施の形態では、第１保留記憶表示部１８ｃおよび第２保留記憶表示部１８ｄを遮蔽することによって保留記憶数を認識しにくくし、擬似連であるのか否かを分かりにくくしている。
（ウ）「【０５０２】
　また、この実施の形態では、演出図柄の変動開始時や擬似連における再変動開始のタイミングで第１保留記憶表示部１８ｃおよび第２保留記憶表示部１８ｄを遮蔽する場合を示しているが、第１保留記憶表示部１８ｃおよび第２保留記憶表示部１８ｄを遮蔽するタイミングは、この実施の形態で示したものにかぎられない。例えば、演出図柄の変動終了時や
擬似連におけるチャンス目図柄の仮停止表示のタイミングで第１保留記憶表示部１８ｃおよび第２保留記憶表示部１８ｄを遮蔽するように構成してもよい
（エ）「【０５０５】
　また、この実施の形態では、図６２に示すように、
可動部材７８を可動させることによって第１保留記憶表示部１８ｃおよび第２保留記憶表示部１８ｄを遮蔽する場合を示しているが、第１保留記憶表示部１８ｃおよび第２保留記憶表示部１８ｄを遮蔽するの遮蔽の仕方は、この実施の形態で示したものにかぎられない。
可動部材７８などを用いて遮蔽するのではなく、演出図柄の変動開始や擬似連における再変動開始のタイミングで、演出表示装置９の表示画面から第１保留記憶表示部１８ｃおよび第２保留記憶表示部１８ｄの表示を消去することによって、保留記憶数を認識不能または認識困難としてもよい。
・認定事項
（オ）上記記載事項（ア）〜（エ）を総合すると、引用文献３には、「擬似連における演出図柄のチャンス目図柄の仮停止表示のタイミングで、第１保留記憶表示部と第２保留記憶表示部の表示を消去することにより、擬似連であるのか否かを分かりにくくすること」（以下、「引用文献３記載の事項」という。）が記載されていると認められる。
（３）対比
　本願補正発明と引用発明とを対比する（対比にあたっては、本願補正発明の構成Ａ〜Ｈ、Ｊ、Ｉと引用発明の構成ａ〜ｈ、ｊについて、それぞれ（ａ）〜（ｈ）、（ｊ）の見出しを付して行った。）。
（ａ）引用発明の「演出表示装置９」、「パチンコ遊技機１」は、それぞれ本願補正発明の「表示手段」、「遊技台」に相当する。
（ｂ）引用発明の「第１保留記憶数と第２保留記憶数との合計である合計数（合算保留記憶数）」は、本願補正発明の「保留数」に相当する。
　また、引用文献１の記載事項（ケ）の【０４１１】、（コ）の【０５３０】、【０５３１】に記載されるように、「保留表示」の数は、始動入賞が発生したときに１つ増え、演出図柄の変動表示が開始されることにより１つ減ることから、「保留表示」の数が、「第１保留記憶数と第２保留記憶数との合計である合計数（合算保留記憶数）」に対応することは明らかである。したがって、引用発明の「アイコンとして表示される保留表示」は、本願補正発明の「保留数に対応する数の保留アイコン」に相当する。
　よって、引用発明の「第１保留記憶数と第２保留記憶数との合計である合計数（合算保留記憶数）を表示する合算保留記憶表示部１８ｃであって、アイコンとして表示される保留表示を表示する合算保留記憶表示部１８ｃが設けられ」た「演出表示装置９」は、本願補正発明の「保留数に対応する数の保留アイコンの表示を表示可能な手段」に相当する。
（ｃ）引用発明の「高確率／高ベース状態」と「通常状態」は、本願補正発明の「複数種類の演出モード」に相当し、また、前者は本願補正発明の「第一の演出モード」に、後者は「第二の演出モード」に相当する。
　そして、引用発明において、「背景画面」を、「高確率／高ベース状態に応じた背景画面」にしたり「通常状態に応じた背景画面」にしたりできることは、本願補正発明において、「複数種類の演出モードに応じた演出を実行可能で」あることに相当する。
　よって、引用発明において、「遊技状態が高確率／高ベース状態であるときには、前記背景画像を高確率／高ベース状態に応じた背景画面にし、遊技状態が通常状態であるときには、演出表示装置９に表示する背景画像を通常状態に応じた背景画面にするものであ」ることは、本願補正発明において、「複数種類の演出モードに応じた演出を実行可能であり、前記複数種類の演出モードのうちの一の演出モードは、第一の演出モードであり、前記複数種類の演出モードのうちの一の演出モードは、第二の演出モードであ」ることに相当する。
（ｄ）引用発明の「可動物予告の態様の先読み予告演出」と「保留球変化の態様の先読み予告演出」は、本願補正発明の「複数種類の先読み予告」に相当し、また、前者は本願補正発明の「第一の先読み予告」に、後者は「第三の先読み予告」に相当する。
　よって、引用発明において、「可動物予告の態様の先読み予告演出と、通常時とは異なる特殊態様で保留表示を増加させる先読み予告演出とが実行可能であ」ることは、本願補正発明において、「複数種類の先読み予告を実行可能であり、前記複数種類の先読み予告のうちの一の先読み予告は、第一の先読み予告であり、前記複数種類の先読み予告のうちの一の先読み予告は、第三の先読み予告であ」ることに相当する。
（ｅ）引用発明の「可動物予告の態様の先読み予告演出」と「保留球変化の態様の先読み予告演出」とは、異なる先読み予告であるから、引用発明において、「可動物予告の態様の先読み予告演出と、通常時とは異なる特殊態様で保留表示を増加させる先読み予告演出とが実行可能であ」ることは、本願補正発明において、「前記第三の先読み予告は、前記第一の先読み予告とは異なる先読み予告であ」ることに相当する。
（ｆ）引用発明の「通常時とは異なる特殊態様」は、本願補正発明の「先読み予告態様」に相当するから、引用発明において、「通常時とは異なる特殊態様で保留表示を増加させる」ことは、本願補正発明において、「保留アイコンを先読み予告態様で表示すること」に相当する。
　よって、引用発明において、「通常時とは異なる特殊態様で保留表示を増加させる先読み予告演出とが実行可能であ」ることは、本願補正発明において、「前記第三の先読み予告とは、保留アイコンを先読み予告態様で表示することによって行われる先読み予告のことであ」ることに相当する。
（ｇ）引用発明において、「遊技状態が高確率／高ベース状態であるときには、可動物予告の態様の先読み予告演出の実行を制限し、遊技状態が通常状態であるときには、可動物予告の態様の先読み予告演出が実行されることがあ」ることは、上記（ｃ）、（ｄ）より、本願補正発明において、「前記第一の演出モードにおいて、前記第一の先読み予告が開始される場合がなく、前記第二の演出モードにおいて、前記第一の先読み予告が開始される場合があ」ることに相当する。
（ｈ）引用発明の構成ｈと本願補正発明の構成Ｈとは、「前記表示手段は、保留数が増加した場合に、保留アイコンが出現」する表示を表示可能な手段である点で共通する。
（ｊ）引用発明において、「保留球変化の態様の先読み予告演出は、始動入賞が発生したタイミングで直ちに実行されるものである」ことは、本願補正発明において、「入賞時先読み予告演出としても、前記第三の先読み予告が開始される場合（以下、「第二の場合」という。）があ」ることに相当する。
　上記（ａ）〜（ｈ）、（ｊ）の検討により、本願補正発明と引用発明とは、
［一致点］
「Ａ　表示手段を備えた遊技台であって、
Ｂ　前記表示手段は、保留数に対応する数の保留アイコンの表示を表示可能な手段であり、
Ｃ　複数種類の演出モードに応じた演出を実行可能であり、
　前記複数種類の演出モードのうちの一の演出モードは、第一の演出モードであり、
　前記複数種類の演出モードのうちの一の演出モードは、第二の演出モードであり、
Ｄ　複数種類の先読み予告を実行可能であり、
　前記複数種類の先読み予告のうちの一の先読み予告は、第一の先読み予告であり、
　前記複数種類の先読み予告のうちの一の先読み予告は、第三の先読み予告であり、
Ｅ　前記第三の先読み予告は、前記第一の先読み予告とは異なる先読み予告であり、
Ｆ　前記第三の先読み予告とは、保留アイコンを先読み予告態様で表示することによって行われる先読み予告のことであり、
Ｇ　前記第一の演出モードにおいて、前記第一の先読み予告が開始される場合がなく、
　前記第二の演出モードにおいて、前記第一の先読み予告が開始される場合があり、
Ｈ’　前記表示手段は、保留数が増加した場合に、保留アイコンが出現する表示を表示可能な手段であり、
Ｊ　入賞時先読み予告としても、前記第三の先読み予告が開始される場合（以下、「第二の場合」という。）がある、
Ｌ　ことを特徴とする遊技台。」」
である点で一致し、構成Ｈ、Ｉ、Ｋに関して次の点で相違する。
［相違点１］（構成Ｈ）
　本願補正発明は、「前記表示手段は、保留数が増加した場合に、保留アイコンが出現するアニメ（以下、「保留増加アニメ」という。）の表示を表示可能な手段であ」るとの構成を備えるが、引用発明は、そのような構成を備えていない点。
［相違点２］（構成Ｉ）
　本願補正発明は、「装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があ」るとの構成を備えるが、引用発明は、そのような構成を備えていない点。
［相違点３］（構成Ｋ）
　本願補正発明は、「保留アイコンは、変動アイコンとして表示される場合があるアイコンであり、変動アイコンは、装飾図柄の変動表示に対応して表示されるアイコンであり、保留数が１以上且つ装飾図柄の変動表示が表示されている状態において、変動アイコンと保留アイコンの両方が表示されている状態から該変動アイコンのみが表示されている状態になる場合がある」との構成を備えるが、引用発明は、そのような構成を備えていない点。
（４）当審における判断
ア　相違点１、２について
　上記相違点１、２は、いずれも「保留増加アニメ」に関連することであるため、まとめて検討する。
　上記引用文献２記載の事項における「装飾図柄表示装置は、保留が増加すると、保留を表す保留画像が出現する保留増加アニメーションの表示を行う手段であ」ることは、本願補正発明の構成Ｈの「前記表示手段は、保留数が増加した場合に、保留アイコンが出現するアニメ（以下、「保留増加アニメ」という。）の表示を表示可能な手段であ」ることに相当する。次に、上記引用文献２に記載の事項における「デフォルトの初期表示態様の保留画像」は、引用文献２の上記記載事項（イ）の【０１８５】に記載されるように、先読み非実行の際にも用いられる保留表示の態様であるから、「デフォルトの初期表示態様の保留画像」が「「緑」、「緑（文字あり）」、「赤」、「赤（文字あり）」または「金」の最終表示態様の保留画像に変更」されるときが、本願補正発明の「第三の先読み予告が開始される」ときに相当する。よって、引用文献２記載の事項における「抽出用乱数値の値が「２７−４６」、「４７−６１」、「６２−７１」、「７２−７６」、「７７」のときは、装飾図柄の変動中に保留増加アニメーションの表示が行われ、保留減少を表示変更契機として、該保留増加アニメーションによって出現したデフォルトの初期表示態様の保留画像を、「緑」、「緑（文字あり）」、「赤」、「赤（文字あり）」または「金」の最終表示態様の保留画像に変更」することは、本願補正発明の構成Ｉの「装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があ」ることに相当する。さらに、引用文献２記載の事項の「抽出用乱数値の値が「７８−８２」、「８３−８７」、「８８−９０」、「９１−９２」、「９３」のときは、始動口への入賞が検出されたときに、「緑」または「赤」の初期表示態様の保留画像の表示を行うこと」は、本願補正発明の構成Ｊの「入賞時先読み予告としても、前記第三の先読み予告が開始される場合（以下、「第二の場合」という。）がある」ことに相当する。
　そして、引用発明と引用文献２記載の事項は、保留表示を用いた先読み予告演出を行う遊技機において遊技の興趣を向上させるという点で共通の課題を有するものである。また、先読み予告演出を入賞時先読み予告演出として行う点（構成Ｊ）で、保留表示を用いた先読み予告演出の態様が一部共通するものである。さらに、引用文献１には、記載事項（オ）の【０２０１】に記載されるように、「可動物予告」等の先読み予告演出についてではあるものの、入賞が発生した後の変動表示から先読み予告演出を開始することも記載されている。
　これらのことからみて、引用発明に引用文献２記載の技術事項を適用し、上記相違点１、２に係る本願補正発明の構成とすることは、当業者が容易に想到し得たことである。
イ　相違点３について
　上記相違点３について検討する。
　上記引用文献３記載の事項の「擬似連における演出図柄のチャンス目図柄の仮停止表示のタイミング」は、本願補正発明の「装飾図柄の変動表示が表示されている状態」に相当する。
　そして、引用発明と引用文献３記載の事項は、遊技に対する興趣を向上させるという点で共通の課題を有するものである。
　ところで、遊技機の技術分野において、装飾図柄の変動表示に対応する変動アイコンを表示すること（以下、「周知事項１」という。）が、本願遡及日前に周知である（例えば、引用文献２の図２２の「保留消化表示領域９１２」に表示されるアイコン、本願遡及日前に頒布された刊行物である特開２０１３−４８７４３号公報の図２７の「消化保留表示領域２０８５」に表示されるアイコンを参照。）。
　以上のことからみて、引用発明に引用文献３記載の事項を採用し、擬似連における演出図柄のチャンス目図柄の仮停止表示のタイミングで合算保留記憶表示部１８ｃの保留表示を消去することにより、擬似連であるのか否かを分かりにくくするようにすること、及び、引用発明に周知事項１を採用し、変動アイコンを表示できるようにすることは、当業者が容易に想到し得たことであり、その際、保留表示を消去するにあたっては擬似連であるのか否かを分かりにくくすることができればよく変動アイコンを消去する必要がないことは自明のことであるから、擬似連の間、つまり装飾図柄の変動表示が表示されている状態において、保留表示（本願補正発明の「保留アイコン」に相当）を消去し変動アイコンのみ表示するようにすることは、当業者が適宜なし得た事項である。
　よって、引用発明に引用文献３記載の事項及び周知事項１を採用することにより、上記相違点３に係る本願補正発明の構成とすることは、当業者が容易に想到し得たことである。
ウ　請求人の主張について
　請求人は、平成２９年４月１７日付け意見書において、
「しかも、引用文献１の段落０４４７には、「なお、例えば、「保留球変化」の演出態様の先読み予告演出に関しては、先読み予告設定制限期間の解除時に未判定の保留記憶に対して遡って実行してしまうと、合算保留記憶表示部１８ｃに既に第１通常表示や第２通常表示として表示されている保留表示が途中から第１特殊表示や第２特殊表示に変更されてしまうことになり、不自然な保留表示を実行してしまうことになる。そのため、図４３（Ｄ）に示すように、この実施の形態では、先読み予告設定制限解除時の先読み予告振分テーブルＤには、「保留球変化」の演出態様の先読み予告演出に対して割り振りを行わないようにし、「保留球変化」の演出態様の先読み予告演出を遡って実行することがないようにしている。」といった記載があります。この段落０４４７の記載によれば、引用文献１における「保留球変化」先読み予告は、入賞時に実行するものであり、先読み予告を制限する期間があって、その期間において増加した保留については不具合防止のため入賞時以後に保留変化させないようにしていることが念押しされており、引用文献１記載の「可動物予告」等と「保留球変化」先読み予告を置き換えることに対する阻害要因になります。」
と主張する。
　しかしながら、引用文献１の上記【０４４７】の記載は、始動入賞時のコマンドの取りこぼしや不整合が発生するという特殊な事態が生じた場合に設定される期間である「先読み予告設定制限期間」が解除されたときの処理に関する記載にすぎず、第２［理由］３（２）（ツ）で認定した引用発明が行っている通常の遊技状態における処理に関する記載ではない。また、引用文献１には、上記「ア」で述べたとおり、「可動物予告」等の先読み予告演出についてではあるものの、入賞が発生した後の変動表示から先読み予告演出を開始することも記載されている。これらのことを考慮すれば、上記【０４４７】の記載が、引用発明に引用文献２記載の技術事項を適用し、相違点１、２に係る本願補正発明の構成とすることを困難にする要因になるとは認められない。
（５）小括
　本願補正発明により奏される効果は、引用発明、引用文献２記載の事項、引用文献３記載の事項、周知事項１から当業者が予測できる範囲内のものであり、格別顕著なものとは言えない。
　そうすると、上記（４）において検討したとおり、本願補正発明は、引用発明、引用文献２記載の事項、引用文献３記載の事項、周知事項１に基づいて当業者が容易に発明をすることができたものであるから、特許法第２９条第２項の規定により、特許出願の際に独立して特許を受けることができないものである。
４　まとめ
　上記１〜３より、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１に係る発明は、平成２９年４月１７日付け手続補正書により補正された特許請求の範囲の請求項１に記載されたとおりのものであるところ、その請求項１に係る発明（以下「本願発明」という。）は、次のとおりのものと認める。
「【請求項１】
Ａ　表示手段を備えた遊技台であって、
Ｂ　前記表示手段は、保留数に対応する数の保留アイコンの表示を表示可能な手段であり、
Ｃ　複数種類の演出モードに応じた演出を実行可能であり、
　前記複数種類の演出モードのうちの一の演出モードは、第一の演出モードであり、
　前記複数種類の演出モードのうちの一の演出モードは、第二の演出モードであり、
Ｄ　複数種類の先読み予告を実行可能であり、
　前記複数種類の先読み予告のうちの一の先読み予告は、第一の先読み予告であり、
　前記複数種類の先読み予告のうちの一の先読み予告は、第三の先読み予告であり、
Ｅ　前記第三の先読み予告は、前記第一の先読み予告とは異なる先読み予告であり、
Ｆ　前記第三の先読み予告とは、保留アイコンを先読み予告態様で表示することによって行われる先読み予告のことであり、
Ｇ　前記第一の演出モードにおいて、前記第一の先読み予告が開始される場合がなく、
　前記第二の演出モードにおいて、前記第一の先読み予告が開始される場合があり、
Ｈ　前記表示手段は、保留数が増加した場合に、保留アイコンが出現するアニメ（以下、「保留増加アニメ」という。）の表示を表示可能な手段であり、
Ｉ　装飾図柄の変動表示が表示されている状態において前記保留増加アニメの表示が開始され、次の装飾図柄の変動表示が表示されている状態において、該保留増加アニメによって出現した保留アイコンを対象にした前記第三の先読み予告が開始される場合（以下、「第一の場合」という。）があり、
Ｊ　入賞時先読み予告としても、前記第三の先読み予告が開始される場合（以下、「第二の場合」という。）がある、
Ｌ　ことを特徴とする遊技台」
２　拒絶査定の理由
　拒絶査定の理由の概要は、この出願の請求項１に係る発明は、本願遡及日前に頒布された下記の引用文献１及び引用文献２に記載された発明に基づいて、その出願前にその発明の属する技術の分野における通常の知識を有する者が容易に発明をすることができたものであるから、特許法２９条２項の規定により特許を受けることができない、というものである。
引用文献１：特開２０１３−４２７８１号公報
引用文献２：特開２０１３−３４７１０号公報
３　引用文献に記載された事項
　原査定の拒絶の理由で引用された引用文献１及び引用文献２の記載事項、及び、引用発明の認定については、上記「第２［理由］３（２）引用文献に記載された事項」に記載したとおりである。
４　対比・判断 
　本願発明は、上記「第２［理由］」で検討した本願補正発明から、構成Ｋを省くものである。
　そうすると、本願発明と引用発明とは、上記相違点１、２において相違し、その余の点において一致する。
　そして、上記相違点１、２については、上記第２［理由］３の（４）ア「相違点１、２について」で検討したとおりであり、引用発明に引用文献２記載の技術事項を適用し、上記相違点１、２に係る本願補正発明の構成とすることは、当業者が容易に想到し得たことである。
５　むすび 
　以上のとおりであるから、本願発明は、特許法第２９条第２項の規定により特許を受けることができない。
　よって、結論のとおり審決する。